(57)【要約】  【課題】高圧機器を、冷蔵庫本体の天面に配設したときの冷蔵庫を静音化する。  【解決手段】冷蔵庫本体１を構成する第一の天面部２１と、冷蔵庫外箱背面１２側の前記第一の天面部２１より低い位置に設けた第二の天面部２２と、冷却ユニットである圧縮機１６と、圧縮機１６を設置するためのベース２３を備え、前記第二の天面部２２の上方空間部に、前記圧縮機１６及びベース２３を配設し、前記ベース２３は第二の天面部２２の上方に空間部を設けて位置したものであり、圧縮機１６からの音の伝達及び振動伝播を抑制するとともに、振動伝播による音の発生を防止し、冷蔵庫の静音化を可能にできる。【選択図】図２
2006010158.tif 000002
【特許請求の範囲】
【請求項１】
断熱壁から形成される第一の天面部と、前記第一の天面部より冷蔵庫の背面側でかつ前記第一の天面部より低い位置に設けられた断熱壁から形成される第二の天面部とを有する冷蔵庫本体と、圧縮機と凝縮器と減圧器と蒸発器とを備えた冷凍サイクルとを備え、前記圧縮機を設置するためのベースを前記第二の天面部の上方に配設し、前記ベースと前記第二の天面部とは空間部を介して位置している冷蔵庫。
【請求項２】
前記圧縮機と前記ベースとの間に緩衝材を設けた請求項１に記載の冷蔵庫。
【請求項３】
前記第二の天面部に防振材を備えた請求項１記載の冷蔵庫。
【請求項４】
前記ベースと前記第二の天面部との間に吸音材を設けた請求項１に記載の冷蔵庫。
【請求項５】
前記第一の天面部と前記第二の天面部とを結ぶ側壁を備え、前記ベースは前記冷蔵庫本体と接続されるベース支持部と、前記圧縮機が配設されるベース本体部と、前記ベース支持部と前記ベース本体部とを連結するベース連結部とを有し、前記ベース支持部は前記第一の天面部と係合されるとともに、前記連結部は前記側壁に対して空間を介して備えられた請求項１に記載の冷蔵庫。
【請求項６】
前記支持部と前記第一の天面部とは緩衝材を介して係合された請求項５記載の冷蔵庫。
【請求項７】
前記第一の天面部と前記第二の天面部とを結ぶ側壁を有し、前記ベースは前記冷蔵庫本体と接続されるベース支持部と前記圧縮機が配設されるベース本体部を有し、前記ベース支持部は前記側壁と係合された請求項１に記載の冷蔵庫。
【発明の詳細な説明】
【技術分野】
【０００１】
本発明は防振、静音構造を施した低騒音化の冷蔵庫に関するものである。
【背景技術】
【０００２】
近年、冷蔵庫は地球環境保護の観点から更なる省エネルギー化が進むとともに、低騒音化が求められている。
【０００３】
従来のこの種の冷蔵庫は、最上部に配設された貯蔵室の上奥部の使用性の向上を図ることと、最下部に配設された貯蔵室の収納容積のアップを図る目的のために、冷蔵庫本体の上壁および背壁に渡る上壁後隅部を最上部の貯蔵室の上壁後部が下がるように窪ませた凹部を設け、その凹部に冷却ユニット、すなわち、音、振動を発生させる圧縮機やファン等の高圧機器を収納するという方法がとられていた（例えば、特許文献１参照）。
【０００４】
図８および図９は、特許文献１に記載された従来の冷蔵庫の構成を示すものである。
【０００５】
図８に示すように、冷蔵庫本体１は、上から順に、冷蔵室２、冷凍室３、野菜室４、を有し、冷蔵室２の前面開口には、回転可能にした冷蔵室扉５を設けている。また、冷凍室３は使用性と収納性を考慮して、その前面開口は上下２枚の冷凍室扉６にて閉塞されている。野菜室４も同様に使用性と収納性を考慮して、その前面開口は野菜室扉７にて閉塞されており、野菜室扉７の裏側には上面開口形状の野菜室容器８が取り付けられ、この容器８は図示しない前後方向のレールに対しローラにて前後方向へ移動可能に支持されている。このため、野菜室扉７を前方へ引き出すことによって野菜室容器８が前方へ引き出され、食品などの収納、取り出しが行える引き出し室を構成している。
【０００６】
また、蒸発器９により冷却された空気は、ダクト（図示せず）を通って冷蔵室２、冷凍室３、野菜室４へそれぞれ循環され各部屋の冷却が行われる。
【０００７】
図９に示すように、凹部１０は、冷蔵庫本体１を構成する冷蔵庫外箱上面１１と冷蔵庫外箱背面１２に渡る上壁後隅部を最上部の貯蔵室である冷蔵室２の上壁後部が下がるように窪ませた箇所である。凹部１０はその左右が冷蔵庫本体１の左右壁にて塞がれ上方および背方に開放しており、この凹部１０の開放部は、上板１３とこれにほぼ直角な背板１４とからなる凹部カバー１５にて覆われている。また、凹部カバー１５はネジなどにて冷蔵庫本体１に取り外し可能に固定されている。
【０００８】
圧縮機１６と凝縮器１７はそれぞれ冷凍ユニットの構成部品の一つであり、凝縮器１７は、機械室ファン１８の作用によって放熱される。
【０００９】
圧縮機１６と凝縮器１７は冷凍ユニットの高圧機器１９であり、機械室ファン１８と共に凹部１０内に配置され、凹部１０の底面部で支持されている。また、凹部１０は凹部カバー１５にて覆われており、高圧機器１９の上端は凹部１０から突出しないように、冷蔵室外箱上面１１以下となるように設計されている。また、凹部カバー１５の上板１３と背板１４には、高圧機器１９の放熱のために複数の通風孔２０が設けられている。
【００１０】
凹部１０に高圧機器１９を収納し、最下部の貯蔵室である野菜室４の下奥隅部を奥行き深く構成することによって、冷蔵庫本体１の背面下部に高圧機器を収納する機械室を設けたものと比較して、引き出し室を構成する野菜室４の奥行きは深くなり野菜室４の内容積を大きくできる。また、高圧機器１９を冷蔵庫本体１の上部に配置しても、最下部の貯蔵室である野菜室４への収納重量の増加により、冷蔵庫本体１の重心が下がり安定化が図れる。
【特許文献１】特開２００１−９９５５２号公報
【発明の開示】
【発明が解決しようとする課題】
【００１１】
しかしながら、上記従来の構成では、凹部に冷却ユニットの高圧機器である圧縮機と凝縮器、またそれらを冷却する機械室ファンを収納することから圧縮機、機械室ファンの音が発生する。この発生源である圧縮機や機械室ファンが非常に人の耳に近い高さにあることから音が気になるといった課題があった。
【００１２】
また、圧縮機が冷蔵庫本体の比較的剛性の小さい部分である凹部の底面部で支持されている為、圧縮機の振動に伴い凹部の底面部が大きく振動することで冷蔵庫本体に伝播し、冷蔵庫本体から発生する振動音及び冷蔵庫本体から他の部品へ振動が伝播し、その部品（例えば、冷蔵庫内の食品収納棚）が振動することによる音が発生するといった課題があった。
【００１３】
本発明は、上記従来の課題を解決するもので、圧縮機や機械室ファンという音源を冷蔵庫の天面部に設置する冷蔵庫において、騒音を低減させ、また振動の伝播を抑制した低騒音の冷蔵庫を提供することを目的とする。
【課題を解決するための手段】
【００１４】
上記従来の課題を解決するために、断熱壁から形成される第一の天面部と、冷蔵庫外箱背面側の前記第一の天面部より低い位置に設けられ断熱壁から形成される第二の天面部とを有する冷蔵庫本体と、圧縮機と凝縮器と減圧器と蒸発器とを備えた冷凍サイクルとを備え、前記圧縮機を設置するためのベースを前記第二の天面部の上方に配設し、前記ベースと第二の天面部とは空間部を介して位置しているものである。
【００１５】
これによって、圧縮機から発生した音が第二の天面部に伝達するのに、圧縮機と第二の天面との間に空間部を設けているため、遮音効果が得られる。
【００１６】
また、圧縮機から発生した振動が、ベースを介して比較的剛性が小さくなる第二の天面部に直接伝播しない為、防振効果が得られる。
【発明の効果】
【００１７】
本発明の冷蔵庫は、音の伝達及び振動の伝播を抑制するとともに、振動伝播による音の発生を防止し、冷蔵庫の静音化を可能にできる。
【００１８】
また、圧縮機の熱を第二の天面部に直接伝えないため、冷蔵庫内への熱の進入を抑制し、消費電力量の低減にもつながる。
【発明を実施するための最良の形態】
【００１９】
請求項１に記載の発明は、断熱壁から形成される第一の天面部と、前記第一の天面部より冷蔵庫の背面側に前記第一の天面部より低い位置に設けられた断熱壁から形成される第二の天面部とを有する冷蔵庫本体と、圧縮機と凝縮器と減圧器と蒸発器とを備えた冷凍サイクルとを備え、前記圧縮機を設置するためのベースを前記第二の天面部の上方に配設し、前記ベースと第二の天面部とは空間部を介して位置していることにより、圧縮機から発生した音が第二の天面部に伝達するのに、圧縮機と第二の天面との間に空間部を設けているため、遮音効果が得られる。
【００２０】
また、冷蔵庫の振動源である圧縮機から発生した振動が、ベースを介して比較的剛性が小さくなる第二の天面部に直接伝播しない為、防振効果が得られ、また振動伝播による音の発生を防止することができる。
【００２１】
また、圧縮機等の高圧機器が放熱した熱を第二の天面部に直接伝えないため、冷蔵庫内への熱の進入を抑制し、消費電力量の低減にもつながる。
【００２２】
請求項２に記載の発明は、請求項１に記載の発明に加えて、圧縮機とベースとの間に緩衝材を設けたものであり、請求項１に記載の発明の作用に加えて、圧縮機の振動をベースへ振動伝播する前の発生源により近い所で減衰することができる為、更なる冷蔵庫の低騒音化が可能となる。
【００２３】
請求項３に記載の発明は、請求項１に記載の発明に加えて、第二の天面部に防振材を備えたものであり、請求項１に記載の発明の作用に加えて、比較的剛性が小さく、振動が伝達した際に振幅が大きくなりやすい第二の天面部に防振材を備えることで、圧縮機からベースおよび側壁を介して第二の天面部に伝達された騒音や振動を低減することができるので、更なる冷蔵庫の低騒音化が可能となる。
【００２４】
請求項４に記載の発明は、請求項１に記載の発明に加えて、ベースと第二の天面部との間に吸音材を設けたものであり、請求項１に記載の発明の作用に加えて、圧縮機の騒音が第二の天面部に伝達する前に吸音材にて騒音を低減させることができる。また、ベースと第二の天面部という、冷蔵庫の内容積にとって無効な空間である部分を有効利用し、内容積を確保しつつ、吸音材を設置することによって、冷蔵庫の静音化を図ることかできる。
【００２５】
請求項５に記載の発明は、請求項１に記載の発明に加えて、前記第一の天面部と前記第二の天面部とを結ぶ側壁を備え、前記ベースは前記冷蔵庫本体と接続されるベース支持部と前記圧縮機が配設されるベース本体部と前記ベース支持部と前記ベース本体部とを連結する連結部を有し、前記ベース支持部は前記第一の天面部と係合されるとともに、前記連結部は前記側壁に対して空間を介して備えられたものであり、請求項１に記載の発明の作用に加えて、圧縮機の振動がベース支持部を介して冷蔵庫本体へ伝達するまでの間に、ベースの構造によって、伝達された上下方向の振動を吸収することに加えて、連結部の左右に空間を設けていることによって左右方向の振動も吸収することができ、上下左右方向の振動に対しての振動伝播を抑制し、冷蔵庫の静音化を可能にできる。
【００２６】
請求項６に記載の発明は、請求項５に記載の発明に加えて、支持部と第一の天面部とは緩衝材を介して係合されたものであり、請求項５に記載の発明の作用に加えて、圧縮機の上下振動及び左右振動を緩衝材によって減衰することで、第一の天面部への振動伝播を低減することができ、更なる冷蔵庫の低騒音化が可能となる。
【００２７】
請求項７に記載の発明は、請求項１に記載の発明に加えて、前記第一の天面部と前記第二の天面部とを結ぶ側壁を有し、前記ベースは前記冷蔵庫本体と接続されるベース支持部と前記圧縮機が配設されるベース本体部を有し、前記ベース支持部は前記側壁と係合されたものであり、請求項１に記載の発明の作用に加えて、ベースを第二の天面部より剛性の大きい側壁で支持することで、圧縮機の騒音や振動の伝播によって冷蔵庫本体が大きく振動することを防ぐことができる。
【００２８】
（実施の形態１）
図１、図２、図３、図４、図５は、本発明の実施の形態１における冷蔵庫の概略図を示すものである。なお、背景技術と同一構成については同一符号を付す。
【００２９】
図１、図２において、比較的高温の区画である冷蔵室２は上方部に、比較的低温の区画である冷凍室３は下方部に配設されており、冷蔵室２および冷凍室３は例えばウレタンのような断熱材で周囲と断熱して構成されている。また、食品等の収納物の出し入れは図示しない断熱ドアを介して行われる。
【００３０】
冷蔵室２は冷蔵保存のために通常１〜５℃で設定されているが、保鮮性向上のため若干低めの温度、例えば−３〜０℃で設定されることもあり、収納物によって、使用者が自由に上記のような温度設定を切り替えることを可能としている場合もある。また、ワインや根野菜等の保鮮のために、例えば１０℃前後の若干高めの温度設定とする場合もある。
【００３１】
冷凍室３は冷凍保存のために通常−２２〜−１８℃で設定されているが、保鮮性向上のためより低温の温度、例えば−３０〜−２５℃で設定されることもある。
【００３２】
冷蔵庫本体１の天面は第一の天面部２１と、冷蔵庫外箱背面１２側の第一の天面部２１より低い位置に設けた第二の天面部２２とで構成されている。
【００３３】
凝縮器１７は第一の天面部２１の上方空間部に配設されており、冷蔵庫本体１の上方の空気と熱交換する構成となっている場合もある。
【００３４】
第二の天面部２２は冷蔵庫本体１の背面側に配設されており、第二の天面部２２と第一の天面部２１との間、すなわち第二の天面部２２の上方にベース２３を設けている。ベース２３の上方空間部に圧縮機１６を配設している。また冷蔵庫本体は、第一の天面部２１と前記第二の天面部２２とを結ぶ側壁４２とを有している。ベース２３は、側壁４２と連結されているベース支持部２３ａと、圧縮機が配設されるベース本体部２３ｂとを有しており、第二の天面部と空間を介して備えられている。
【００３５】
また、圧縮機１６は例えばインバーターによる回転数制御で冷媒循環量を制御し冷凍能力を変化させることができる能力可変型としてある場合もある。
【００３６】
また、圧縮機１６及び凝縮器１７の高圧機器１９の放熱を促進するための機械室ファン１８がベース２３の上方空間部に配置されている場合もある。
【００３７】
以上のように構成された冷蔵庫について、以下その動作、作用を説明する。
【００３８】
圧縮機１６の運転に伴って発生する騒音は、圧縮機１６から第二の天面部２２とベース２３との間設けられた空間部を通過する際に、音波の増幅を抑制しながら、第二の天面部２２へと伝達される。よって、圧縮機１６と第二の天面部との間にほとんど空間がない場合と比べて、遮音効果を高めることができる。
【００３９】
また、圧縮機１６の動作により発生する振動は、上下方向、左右方向、前後方向、回転方向とあらゆる方向に加速度的に発生するが、すべての方向に対して、まず、ベース２３に伝播する。その後、ベース２３に伝播した振動は他の部品へ振動を伝播しようとするが、ベース２３は第二の天面部２２との間に空間部を設けていることから、第二の天面部２２に直接伝播することはないため、振動によるビビリ音等の発生を抑制することができる。
【００４０】
また、従来は第二の天面部２２に直接圧縮機１６等の高圧機器１９を配設していたため、放熱による熱が第二の天面部２２に伝わりやすく、冷蔵室２内に大量の熱が侵入していたが、一端ベース２３に熱を伝えてベース２３表面で放熱させることができる構成となっているため、冷蔵室２内への熱の侵入を抑制し、消費電力量の低減ができる。
【００４１】
また、図３のように、圧縮機１６とベース２３との間に、ゴムや熱可塑性樹脂（エラストマー）のような衝撃等を吸収する緩衝材２４を設けることにより、圧縮機１６にて発生した振動がベース２３に伝播する際に、緩衝材２４による振動の吸収が実現し、振幅の抑制につながり、振動伝播による音の発生を更に抑制することができる。
【００４２】
また、図４のように、第二の天面部２２にゴムや熱可塑性樹脂（エラストマー）のような衝撃等を吸収する防振材１２５を設けることで、第二の天面部が圧縮機からの振動の伝播によって振動した場合でも、防振材１２５によって、振動を吸収することができる。緩衝材１２５による振動の吸収が実現し、振動伝播による音の発生を更に抑制することができる。また、本実施の形態のように第二の天面部が略長方形である場合には、この防振材１２５は第二の天面部における１次の振動モードの腹となる長手方向の中心点付近に設けることで、より効果的に振動を吸収することができる。さらに、この防振材１２５を第二の天面部における２次の振動モードの腹である長手方向の両端から長手方向距離の１／４付近に設けるとより振動を吸収することができる。
【００４３】
また、図５のように、ベース２３と第二の天面部２２との空間部を利用して、その空間部に吸音材２６を設置することで、圧縮機１６から発生した音を吸音材２６で吸収することによって更なる静音化が図ることができる。吸音材２６は、例えば、音の成分である周波数、特に人の耳に感じやすい高域の音（例えば１ｋＨｚ〜４ｋＨｚ帯）の成分を吸収するものを使うと効果がある。
【００４４】
また、吸音材２６にグラスウールのような繊維状の部品を使用することによって、吸音効果とともに断熱効果も得ることができ、第二の天面部２２への熱の伝わりを抑制し、消費電力量の低減にもつながる。
【００４５】
また、吸音材２６自体に緩衝材としての性質のあるものを使用することによって、ベース２３から第二の天面２２への振動伝播をも抑制することができる。
【００４６】
（実施の形態２）
図６、図７は、本発明の実施の形態２における冷蔵庫の概略図を示すものである。なお、背景技術と同一構成については同一符号を付す。
【００４７】
図６において、冷蔵庫本体１の天面は第一の天面部２１と、冷蔵庫外箱背面１２側の第一の天面部２１より低い位置に設けた第二の天面部２２とで構成されている。
【００４８】
第二の天面部２２は冷蔵庫本体１の背面側に配設されており、第二の天面部２２と第一の天面部２１との間、すなわち第二の天面部２２の上方にベース２７を設ける。前記ベース２７は第一の天面部２１から支持して、冷蔵庫本体１背面の凹部１０に沿うような形で形成されている。
【００４９】
また、ベース２７は冷蔵庫本体１と連結するベース支持部２７ａと圧縮機１６を支持するベース本体部２７ｂとベース支持部２７ａとベース本体部２７ｂとの間を連結するベース連結部２７ｃとからなり、ベース支持部が第一の天面部２１に係合され、ベース連結部２７ｃは第一の天面部２１と庫第二の天面部２２とを結ぶ側壁４２との間に空間部を設けており、第二の天面部２２とベース２７との間にも空間が設けられている。
【００５０】
このように圧縮機１６をベース２７を介して第一の天面部２１から支持することにより、ベース２７は冷蔵庫本体１背面の凹部１０の壁面および側壁４２および第二の天面部２２のいずれとも接することがなく、常に宙づりで懸架されている状態になるため、圧縮機１６の動作により発生する振動をベース２２によって上下方向だけではなく、左右、前後方向に対しても吸収できる構造を有することができ、振動伝播を抑制し、振動によるビビリ音等の発生を抑制し、冷蔵庫の低騒音化を実現できる。
【００５１】
また、図７のように、第一の天面部２１から支持したベース２７と、第一の天面部２１との間に、ゴムや熱可塑性樹脂（エラストマー）のような衝撃等を吸収する緩衝材２８を設けることにより、圧縮機１６にて発生した振動が第一の天面部２１に伝播する際に、緩衝材２８による振動の吸収が実現し、振幅の抑制につながり、振動伝播による音の発生を更に抑制することができる。
【産業上の利用可能性】
【００５２】
以上のように、本発明に係る冷蔵庫は、冷蔵庫の天面に圧縮機を配設した場合の冷蔵庫の騒音、振動を低減することができるため、家庭用冷蔵庫のみならず業務用冷蔵庫、自動販売機、その他の冷却機器を備えた貯蔵庫の冷凍サイクル構成として有用である。
【図面の簡単な説明】
【００５３】
【図１】本発明の実施の形態１における冷蔵庫の断面図
【図２】本発明の実施の形態１における冷蔵庫の要部正面図
【図３】本発明の実施の形態１における冷蔵庫の要部正面図
【図４】本発明の実施の形態１における冷蔵庫の要部正面図
【図５】本発明の実施の形態１における冷蔵庫の要部正面図
【図６】本発明の実施の形態２における冷蔵庫の要部正面図
【図７】本発明の実施の形態２における冷蔵庫の要部正面図
【図８】従来の冷蔵庫の断面図
【図９】従来の冷蔵庫の要部斜視図
【符号の説明】
【００５４】
１    冷蔵庫本体
１０  凹部
１２  冷蔵庫外箱背面
１６  圧縮機
２１  第一の天面部
２２  第二の天面部
２３  ベース
２３ａ  ベース支持部
２３ｂ  ベース本体部
２４  緩衝材
２６  吸音材
２７  ベース
２７ａ  ベース支持部
２７ｂ  ベース本体部
２７ｃ  ベース連結部
２８  緩衝材
４２  側壁
１２５  防振材
【図１】
2006010158.tif 000003
【図２】
2006010158.tif 000004
【図３】
2006010158.tif 000005
【図４】
2006010158.tif 000006
【図５】
2006010158.tif 000007
【図６】
2006010158.tif 000008
【図７】
2006010158.tif 000009
【図８】
2006010158.tif 000010
【図９】
2006010158.tif 000011